(57)【要約】  第１の映像出力装置（１）から入力された第１の同期信号の位相と第２の映像出力装置（２）から入力された第２の同期信号の位相とに基づいて、第１の表示装置（５）に対する第１の駆動信号の出力タイミングについての第１の遅延量および第２の表示装置（６）に対する第２の駆動信号の出力タイミングについての第２の遅延量を決定する位相調整部（１０１）と、決定した第１の遅延量に基づいて第１の駆動信号の出力タイミングを制御し、決定した第２の遅延量に基づいて第２の駆動信号の出力タイミングを制御する遅延部とを備える。
2018008147.tif 000002
【特許請求の範囲】
【請求項１】
第１の映像出力装置から入力された第１の同期信号の位相と第２の映像出力装置から入力された第２の同期信号の位相とに基づいて、第１の表示部に対する第１の駆動信号の出力タイミングについての第１の遅延量および第２の表示部に対する第２の駆動信号の出力タイミングについての第２の遅延量を決定する位相調整部と、
前記位相調整部が決定した前記第１の遅延量に基づいて前記第１の駆動信号の出力タイミングを制御し、前記位相調整部が決定した前記第２の遅延量に基づいて前記第２の駆動信号の出力タイミングを制御する遅延部とを備えた画像処理装置。
【請求項２】
前記位相調整部は、前記第１の同期信号と前記第２の同期信号との位相差を検出し、検出した当該位相差に基づいて、前記第１の遅延量および前記第２の遅延量を決定することを特徴とする請求項１記載の画像処理装置。
【請求項３】
前記位相調整部は、前記第１の同期信号と前記第２の同期信号のいずれか一方の同期信号の周期に基づいて閾値を設定し、前記位相差が前記設定した閾値以上であるか否かに基づいて、前記第１の遅延量および前記第２の遅延量を決定することを特徴とする請求項２記載の画像処理装置。
【請求項４】
前記第１の表示部および前記第２の表示部が液晶ディスプレイである場合に、
前記位相調整部は、前記液晶ディスプレイに印加される正の電圧の交流印加周期と負の電圧の交流印加周期とをそれぞれ１つの交流印加周期として正の電圧と負の電圧が交互に印加される場合に、偶数回の前記交流印加周期毎に前記第１の駆動信号の出力タイミングおよび前記第２の駆動信号の出力タイミングを制御する、前記第１の遅延量および前記第２の遅延量を決定することを特徴とする請求項１記載の画像処理装置。
【請求項５】
前記第１の同期信号が入力されると前記第１の駆動信号を生成し、前記第２の同期信号が入力されると前記第２の駆動信号を生成する信号処理部を備え、
前記遅延部は、前記第１の映像出力装置から入力された前記第１の同期信号を前記第１の遅延量に基づいて前記信号処理部に出力し、前記第２の映像出力装置から入力された前記第２の同期信号を、前記第２の遅延量に基づいて前記信号処理部に出力することを特徴とする請求項１記載の画像処理装置。
【請求項６】
前記第１の同期信号が入力されると前記第１の駆動信号を生成し、前記第２の同期信号が入力されると前記第２の駆動信号を生成する信号処理部を備え、
前記遅延部は、前記信号処理部が生成した前記第１の駆動信号を前記第１の遅延量に基づいて前記第１の表示部に出力し、前記信号処理部が生成した第２の駆動信号を前記第２の遅延量に基づいて前記第２の表示部に出力することを特徴とする請求項１記載の画像処理装置。
【請求項７】
前記第１の表示部および前記第２の表示部は、同一の表示装置を構成する、または第１の表示装置および第２の表示装置を構成することを特徴とする請求項１記載の画面処理装置。
【請求項８】
表示装置と、
第１の映像出力装置から入力された第１の同期信号の位相と第２の映像出力装置から入力された第２の同期信号の位相とに基づいて、前記表示装置に対する第１の駆動信号の出力タイミングについての第１の遅延量および前記表示装置に対する第２の駆動信号の出力タイミングについての第２の遅延量を決定する位相調整部と、前記位相調整部が決定した前記第１の遅延量に基づいて前記第１の駆動信号の出力タイミングを制御し、前記位相調整部が決定した前記第２の遅延量に基づいて前記第２の駆動信号の出力タイミングを制御する遅延部とを有する画像処理装置とを備えたディスプレイユニット。
【発明の詳細な説明】
【技術分野】
【０００１】
この発明は、映像情報を表示する技術に関するものである。
【背景技術】
【０００２】
従来、複数の表示装置に映像情報を表示する場合に、映像出力装置から出力される映像データのフレームを開始するタイミングをずらすことで複数の表示装置の駆動タイミングをずらし、複数の表示装置の駆動電力のピーク値を低減させる技術が提案されている。
例えば、特許文献１に開示された画像処理装置では、１つの映像出力装置から出力する映像データを水平方向に複数の領域に分割し、分割した複数の同期信号および複数の映像データを遅延させ、各表示装置に入力させる段階で同期信号および映像データのタイミングをずらしている。
【先行技術文献】
【特許文献】
【０００３】
【特許文献１】特開２０１５−２０３８５１号公報
【発明の概要】
【発明が解決しようとする課題】
【０００４】
近年では、例えば車両の車室内には複数の表示装置が搭載され、各表示装置には１つの映像出力装置から映像データが出力される場合に限られず、複数の映像出力装置から複数の映像データが出力される場合も多い。上述した特許文献１に記載された技術では、１つの映像出力装置から複数の表示装置に映像データが出力される場合には適応可能であるが、複数の映像出力装置から出力された映像データを複数の表示装置に出力する場合には適応できなかった。これは、複数の映像出力装置から出力された複数の映像データが同一のタイミングの同期信号であったとしても、原発振の誤差により、表示装置に入力される際の同期信号が時間の経過と共にずれるためである。このように、上述した特許文献１に記載された技術では、複数の映像出力装置から出力された複数の映像データを複数の表示装置に表示させる場合には、表示装置の駆動電力のピーク値を低減させることが困難であるという課題があった。【０００５】
この発明は、上記のような課題を解決するためになされたもので、複数の映像出力装置から出力された複数の映像データを複数の表示部に表示させる場合に、複数の表示部の駆動電力のピーク値を低減させることを目的とする。
【課題を解決するための手段】
【０００６】
この発明に係る画像処理装置は、第１の映像出力装置から入力された第１の同期信号の位相と第２の映像出力装置から入力された第２の同期信号の位相とに基づいて、第１の表示部に対する第１の駆動信号の出力タイミングについての第１の遅延量および第２の表示部に対する第２の駆動信号の出力タイミングについての第２の遅延量を決定する位相調整部と、位相調整部が決定した第１の遅延量に基づいて第１の駆動信号の出力タイミングを制御し、位相調整部が決定した第２の遅延量に基づいて第２の駆動信号の出力タイミングを制御する遅延部とを備えるものである。
【発明の効果】
【０００７】
この発明によれば、複数の映像出力装置から出力された複数の映像データを複数の表示部に表示させる場合にも、各表示部の駆動タイミングが重なるのを回避することができる。これにより、複数の表示部の駆動電力のピーク値を低減させることができる。
【図面の簡単な説明】
【０００８】
【図１】実施の形態１に係る画像処理装置を備えた表示システムの構成を示すブロック図である。
【図２】実施の形態１に係る画像処理装置の構成を示すブロック図である。
【図３】図３Ａ、図３Ｂは、実施の形態１に係る画像処理装置のハードウェア構成を示す図である。
【図４】実施の形態１に係る画像処理装置の動作を示すフローチャートである。
【図５】実施の形態１に係る画像処理装置の遅延処理を適用しない場合の表示装置の駆動タイミングおよび駆動電力を示すタイミングチャートである。
【図６】実施の形態１に係る画像処理装置の遅延処理を適用した場合の表示装置の駆動タイミングおよび駆動電力を示すタイミングチャートである。
【図７】実施の形態２に係る画像処理装置の構成を示すブロック図である。
【図８】実施の形態２に係る画像処理装置の動作を示すフローチャートである。
【図９】実施の形態２に係る画像処理装置の遅延処理を適用した場合の表示装置の駆動タイミングおよび駆動電力を示すタイミングチャートである。
【図１０】実施の形態１に係る画像処理装置のその他の構成例を示す図である。
【発明を実施するための形態】
【０００９】
以下、この発明をより詳細に説明するために、この発明を実施するための形態について、添付の図面に従って説明する。
実施の形態１．
図１は、実施の形態１に係る画像処理装置を備えた表示システムの構成を示すブロック図である。ここでは、特に車両に搭載された表示システムを例として示している。
表示システムは、第１の映像出力装置１、第２の映像出力装置２、画像処理装置３、制御装置４、第１の表示装置（本発明の「第１の表示部」に対応する）５、第２の表示装置（本発明の「第２の表示部」に対応する）６および電源回路７で構成される。
第１の映像出力装置１は、例えばインストルメントクラスターユニット（ＩＣＵ）で構成され、車両の車速を示すスピードメータ、車両の状態を示す各種情報を表示するための第１の映像データおよび第１の同期信号を出力する。第２の映像出力装置２は、例えばヘッドユニット（ＨＵ）で構成され、車両に搭載されたナビゲーション装置およびオーディオ装置の情報を表示するための第２の映像データおよび第２の同期信号を出力する。
【００１０】
画像処理装置３は、第１および第２の映像出力装置１，２から出力された第１および第２の同期信号と、当該第１および第２の同期信号とそれぞれ同期した第１および第２の映像データの入力を受け付け、第１および第２の表示装置５，６に表示させる表示データおよび駆動信号を生成するタイミングコントローラである。制御装置４は、ＣＡＮ（Controller Area Network）等の車内ネットワークによって互いに接続された第１の映像出力装置１、第２の映像出力装置２および画像処理装置３を制御する。第１の表示装置５は、例えばスピードメータおよび車両の各種情報を表示するためのインストルメントクラスタである。第２の表示装置６は、例えばナビゲーション装置およびオーディオ装置などの情報を表示するＣＩＤ（Center Information Display）である。電源回路７は、第１および第２の表示装置５，６に駆動電流を供給する。
【００１１】
図１において、画像処理装置３、制御装置４、第１の表示装置５、第２の表示装置６および電源回路７は、ディスプレイユニット８を構成する。なお、電源回路７は、ディスプレイユニット８の外部に設けられていてもよい。
【００１２】
図１で示した第１の映像出力装置１から出力される第１の映像データと、第２の映像出力装置２から出力される第２の映像データとの、解像度、同期周波数、タイミング等のフォーマットは、例えば同一であるとする。一方で、第１および第２の映像出力装置１，２は、それぞれ内部に保有する基準クロック元の水晶振動子が異なることから、原発振に誤差が生じるため、同期信号の位相差が時間と共にずれる場合ある。そこで、画像処理装置３は、この同期信号の位相差のずれを考慮して、第１および第２の表示装置５，６に出力する表示データおよび駆動信号を生成する。
【００１３】
なお、図１では、２つの映像出力装置、２つの表示装置を備えた表示システムを示したが、映像出力装置および表示装置の設置数はこれに限定されるものではなく、それぞれ２つ以上でもよい。これは、以下で示す全ての実施例において同様である。
【００１４】
次に、画像処理装置３の詳細について説明する。
図２は、実施の形態１に係る画像処理装置３の構成を示すブロック図である。
画像処理装置３は、位相調整部１０１、第１の映像遅延部１０２、第１の同期遅延部１０３、第２の映像遅延部１０４、第２の同期遅延部１０５、第１の映像処理部１０６、第１の駆動信号生成部１０７、第２の映像処理部１０８および第２の駆動信号生成部１０９を備える。
図１で示したとおり、画像処理装置３は、上述した第１および第２の映像出力装置１，２、第１および第２の表示装置５，６、に接続されている。また、第１および第２の映像出力装置１，２から画像処理装置３に対して第１および第２の同期信号と、当該第１および第２の同期信号とそれぞれ同期した第１および第２の映像データが入力される。なお、図２では制御装置４の記載を省略している。
【００１５】
位相調整部１０１は、第１の映像出力装置１から入力された第１の同期信号と、第２の映像出力装置２から出力された第２の同期信号とを用いて、第１の遅延量および第２の遅延量を算出する。
第１の映像遅延部１０２は、第１の映像出力装置１から第１の映像データが入力されると、位相調整部１０１から入力される第１の遅延量だけタイミングを遅らせて、第１の映像処理部１０６に出力する。第１の同期遅延部１０３は、第１の映像出力装置１から第１の同期信号が入力されると、位相調整部１０１から入力される第１の遅延量だけタイミングを遅らせて、第１の駆動信号生成部１０７に出力する。
この実施の形態１では、第１の映像データと第１の同期信号との同期関係も崩れないように、第１の映像データに対しても出力するタイミングの調整を行っている。
【００１６】
第２の映像遅延部１０４は、第２の映像出力装置２から第２の映像データが入力されると、位相調整部１０１から入力される第２の遅延量だけタイミングを遅らせて、第２の映像処理部１０８に出力する。第２の同期遅延部１０５は、第２の映像出力装置２から第２の同期信号が入力されると、位相調整部１０１から入力される第２の遅延量だけタイミングを遅らせて、第２の駆動信号生成部１０９に出力する。
この実施の形態１では、第２の映像データと第２の同期信号との同期関係も崩れないように、第２の映像データに対しても出力するタイミングの調整を行っている。
【００１７】
第１の映像処理部１０６は、第１の映像遅延部１０２から入力される第１の映像データと、第１の同期遅延部１０３から入力される第１の同期信号とから、第１の表示装置５に表示するための第１の表示データを生成する。第１の駆動信号生成部１０７は、第１の同期遅延部１０３から入力される第１の同期信号に基づいて、第１の表示装置５を駆動するための第１の駆動信号を生成する。画像処理装置３に接続された第１の表示装置５は、第１の駆動信号生成部１０７から入力される第１の駆動信号に従って駆動され、第１の映像処理部１０６から入力される第１の表示データを表示する。
【００１８】
第２の映像処理部１０８は、第２の映像遅延部１０４から入力される第２の映像データと、第２の同期遅延部１０５から入力される第２の同期信号とから、第２の表示装置６に表示するための第２の表示データを生成する。第２の駆動信号生成部１０９は、第２の同期遅延部１０５から入力される第２の同期信号に基づいて、第２の表示装置６を駆動するための第２の駆動信号を生成する。画像処理装置３に接続された第２の表示装置６は、第２の駆動信号生成部１０９から入力される第２の駆動信号に従って駆動され、第２の映像処理部１０８から入力される第２の表示データを表示する。
【００１９】
なお、図２で示した第１の映像遅延部１０２、第１の同期遅延部１０３、第２の映像遅延部１０４および第２の同期遅延部１０５が遅延部を構成する。また、第１の映像処理部１０６、第１の駆動信号生成部１０７、第２の映像処理部１０８および第２の駆動信号生成部１０９が信号処理部を構成する。
【００２０】
次に、画像処理装置３のハードウェア構成例を説明する。
図３Ａ、図３Ｂは、実施の形態１による画像処理装置３のハードウェア構成例を示す図である。
画像処理装置３における、位相調整部１０１、第１の映像遅延部１０２、第１の同期遅延部１０３、第２の映像遅延部１０４、第２の同期遅延部１０５、第１の映像処理部１０６、第１の駆動信号生成部１０７、第２の映像処理部１０８および第２の駆動信号生成部１０９は、図３Ａに示すように専用のハードウェアである処理回路１００ａであってもよいし、図３Ｂに示すようにメモリ１００ｃに格納されているプログラムを実行するプロセッサ１００ｂであってもよい。
【００２１】
図３Ａに示すように、位相調整部１０１、第１の映像遅延部１０２、第１の同期遅延部１０３、第２の映像遅延部１０４、第２の同期遅延部１０５、第１の映像処理部１０６、第１の駆動信号生成部１０７、第２の映像処理部１０８および第２の駆動信号生成部１０９が専用のハードウェアである場合、処理回路１００ａは、例えば、単一回路、複合回路、プログラム化したプロセッサ、並列プログラム化したプロセッサ、ＡＳＩＣ（Application Specific Integrated Circuit），ＦＰＧＡ（Field-programmable Gate Array）、またはこれらを組み合わせたものが該当する。位相調整部１０１、第１の映像遅延部１０２、第１の同期遅延部１０３、第２の映像遅延部１０４、第２の同期遅延部１０５、第１の映像処理部１０６、第１の駆動信号生成部１０７、第２の映像処理部１０８および第２の駆動信号生成部１０９の各部の機能それぞれを処理回路で実現してもよいし、各部の機能をまとめて１つの処理回路で実現してもよい。
【００２２】
図３Ｂに示すように、位相調整部１０１、第１の映像遅延部１０２、第１の同期遅延部１０３、第２の映像遅延部１０４、第２の同期遅延部１０５、第１の映像処理部１０６、第１の駆動信号生成部１０７、第２の映像処理部１０８および第２の駆動信号生成部１０９がプロセッサ１００ｂである場合、各部の機能は、ソフトウェア、ファームウェア、またはソフトウェアとファームウェアとの組み合わせにより実現される。ソフトウェアまたはファームウェアはプログラムとして記述され、メモリ１００ｃに格納される。プロセッサ１００ｂは、メモリ１００ｃに記憶されたプログラムを読み出して実行することにより、位相調整部１０１、第１の映像遅延部１０２、第１の同期遅延部１０３、第２の映像遅延部１０４、第２の同期遅延部１０５、第１の映像処理部１０６、第１の駆動信号生成部１０７、第２の映像処理部１０８および第２の駆動信号生成部１０９の各機能を実現する。即ち、位相調整部１０１、第１の映像遅延部１０２、第１の同期遅延部１０３、第２の映像遅延部１０４、第２の同期遅延部１０５、第１の映像処理部１０６、第１の駆動信号生成部１０７、第２の映像処理部１０８および第２の駆動信号生成部１０９は、プロセッサ１００ｂにより実行されるときに、後述する図４に示す各ステップが結果的に実行されることになるプログラムを格納するためのメモリ１００ｃを備える。また、これらのプログラムは、位相調整部１０１、第１の映像遅延部１０２、第１の同期遅延部１０３、第２の映像遅延部１０４、第２の同期遅延部１０５、第１の映像処理部１０６、第１の駆動信号生成部１０７、第２の映像処理部１０８および第２の駆動信号生成部１０９の手順または方法をコンピュータに実行させるものであるともいえる。
【００２３】
ここで、プロセッサ１００ｂとは、例えば、ＣＰＵ（Central Processing Unit）、処理装置、演算装置、プロセッサ、マイクロプロセッサ、マイクロコンピュータ、またはＤＳＰ（Digital Signal Processor）などのことである。
メモリ１００ｃは、例えば、ＲＡＭ（Random Access Memory）、ＲＯＭ（Read Only Memory）、フラッシュメモリ、ＥＰＲＯＭ（Erasable Programmable ROM）、ＥＥＰＲＯＭ（Electrically EPROM）等の不揮発性または揮発性の半導体メモリであってもよいし、ハードディスク、フレキシブルディスク等の磁気ディスクであってもよいし、ミニディスク、ＣＤ（Compact Disc）、ＤＶＤ（Digital Versatile Disc）等の光ディスクであってもよい。
【００２４】
なお、位相調整部１０１、第１の映像遅延部１０２、第１の同期遅延部１０３、第２の映像遅延部１０４、第２の同期遅延部１０５、第１の映像処理部１０６、第１の駆動信号生成部１０７、第２の映像処理部１０８および第２の駆動信号生成部１０９の各機能について、一部を専用のハードウェアで実現し、一部をソフトウェアまたはファームウェアで実現するようにしてもよい。このように、画像処理装置３における処理回路１００ａは、ハードウェア、ソフトウェア、ファームウェア、またはこれらの組み合わせによって、上述の各機能を実現することができる。
【００２５】
次に、画像処理装置３の動作について説明する。
図４は、実施の形態１に係る画像処理装置３の動作を示すフローチャートである。
図４では、画像処理装置３に第１の映像出力装置１および第２の映像出力装置２から、２つの映像データと２つの同期信号が入力される場合を例に説明を行う。なお、図４のフローチャートは、画像処理装置３に接続する映像出力装置の数に応じて、適宜変更して適用可能である。
【００２６】
画像処理装置３の位相調整部１０１は、第１の映像出力装置１から第１の同期信号が入力されると（ステップＳＴ１）、第２の映像出力装置２から、第１の同期信号が入力された直前の第２の同期信号、または第１の同期信号と同時に入力された第２の同期信号を取得する（ステップＳＴ２）。位相調整部１０１は、ステップＳＴ１で入力された第１の同期信号と、ステップＳＴ２で取得された第２の同期信号との位相差を検出する（ステップＳＴ３）。位相調整部１０１は、ステップＳＴ３で検出した位相差と、第１の表示装置５および第２の表示装置６にそれぞれ設定された遅れ時間とから、第１の遅延量の初期値および第２の遅延量の初期値を算出する（ステップＳＴ４）。
ここで遅れ時間とは、第１の表示装置５および第２の表示装置６に駆動信号が入力されてから、当該駆動信号によって第１の表示装置５および第２の表示装置６が駆動するまでに要する時間であり、表示装置毎に予め定まっている時間である。なお、遅れ時間を考慮する方が、第１の表示装置５および第２の表示装置６に駆動信号が出力されるタイミングを正確に制御することができるが、位相調整部１０１は、検出した位相差のみに基づいて遅延量の初期値を算出する構成としてもよい。
【００２７】
位相調整部１０１は、ステップＳＴ４で算出した第１の遅延量の初期値を適用した場合の第１の駆動信号の駆動タイミングと、第２の遅延量の初期値を適用した場合の第２の駆動信号の駆動タイミングが、予め設定した時間以上離れているか否か判定を行う（ステップＳＴ５）。予め設定した時間以上離れている場合（ステップＳＴ５；ＹＥＳ）、位相調整部１０１はステップＳＴ４で算出した第１の遅延量の初期値を第１の映像遅延部１０２および第１の同期遅延部１０３に出力し、第２の遅延量の初期値を第２の映像遅延部１０４および第２の同期遅延部１０５に出力する（ステップＳＴ６）。
【００２８】
一方、予め設定した時間以上離れていない場合（ステップＳＴ５；ＮＯ）、位相調整部１０１は第１の駆動信号の駆動タイミングと、第２の駆動信号の駆動タイミングとが予め設定した時間以上離れるように、ステップＳＴ４で算出した第１の遅延量の初期値または第２の遅延量の初期値の少なくともいずれか一方を調整する（ステップＳＴ７）。位相調整部１０１は、ステップＳＴ７で調整した第１の遅延量を第１の映像遅延部１０２および第１の同期遅延部１０３に出力し、調整した第２の遅延量を第２の映像遅延部１０４および第２の同期遅延部１０５に出力する（ステップＳＴ８）。
【００２９】
第１の映像遅延部１０２は、第１の映像出力装置１から入力された第１の映像データの第１の映像処理部１０６への出力タイミングを、ステップＳＴ６またはステップＳＴ８で入力された第１の遅延量を用いて遅延させる（ステップＳＴ９）。同様に、ステップＳＴ９として、第２の映像遅延部１０４は、第２の映像出力装置２から入力された第２の映像データの第２の映像処理部１０８への出力タイミングを、ステップＳＴ６またはステップＳＴ８で入力された第２の遅延量を用いて遅延させる。
【００３０】
第１の同期遅延部１０３は、ステップＳＴ１で入力された第１の同期信号の第１の駆動信号生成部１０７への出力タイミングを、ステップＳＴ６またはステップＳＴ８で入力された第１の遅延量を用いて遅延させる（ステップＳＴ１０）。同様に、ステップＳＴ１０として、第２の同期遅延部１０５は、ステップＳＴ１で入力された第２の同期信号の第２の駆動信号生成部１０９への出力タイミングを、ステップＳＴ６またはステップＳＴ８で入力された第２の遅延量を用いて遅延させる
【００３１】
第１の映像処理部１０６は、ステップＳＴ９で入力された第１の映像データと、ステップＳＴ１０で入力された第１の同期信号とを用いて、第１の表示装置５に映像データを表示させるための第１の表示データを生成し、第１の表示装置５に出力する（ステップＳＴ１１）。同様に、ステップＳＴ１１として、第２の映像処理部１０８は、ステップＳＴ９で入力された第２の映像データと、ステップＳＴ１０で入力された第２の同期信号とを用いて、第２の表示装置６に映像データを表示させるための第２の表示データを生成し、第２の表示装置６に出力する。
【００３２】
第１の駆動信号生成部１０７は、ステップＳＴ１０で入力された第１の同期信号を用いて、第１の表示装置５に映像データを表示させるための第１の駆動信号を生成し、第１の表示装置５に出力する（ステップＳＴ１２）。同様に、ステップＳＴ１２として、第２の駆動信号生成部１０９は、ステップＳＴ１０で入力された第２の同期信号を用いて、第２の表示装置６に映像データを表示させるための第２の駆動信号を生成し、第２の表示装置６に出力する。以上で、処理を終了する。
【００３３】
次に、画像処理装置３による遅延処理によって複数の表示装置の駆動電力のピーク値がどのように抑制されるかについて、タイミングチャートを参照しながら説明する。
まず、図５に、画像処理装置３による遅延処理を適用しない場合の、第１の表示装置５および第２の表示装置６の駆動タイミングおよび駆動電力を示すタイミングチャートを示す。
図５では、上から順に、第１の水平同期信号、第１の映像データ、第２の水平同期信号、第２の映像データ、第１の駆動信号、第１の表示データ、第２の駆動信号、第２の表示データおよび第１および第２の表示装置５，６の駆動電力のタイミングチャートを図示している。
【００３４】
図５において、第１の水平同期信号のタイミングＰａと第２の水平同期信号のタイミングＰｂが同一である。図５の例は、画像処理装置３による遅延処理を行っていないことから、第１の駆動信号の駆動位置Ｑａと、第２の駆動信号の駆動位置Ｑｂも同一である。これにより、第１の表示装置５と第２の表示装置６の駆動タイミングも同一となり、同一のタイミングで第１の表示データと第２の表示データが表示される。この結果、第１および第２の表示装置５，６の駆動電力のピークが位置Ｒで重なる。
【００３５】
次に、画像処理装置３による遅延処理が行われた場合の第１の表示装置５および第２の表示装置６の駆動タイミングおよび駆動電力を示すタイミングチャートを図６に示す。
図６では、上から順に、第１の水平同期信号、第１の映像データ、第２の水平同期信号、第２の映像データ、遅延させた第１の水平同期信号、遅延させた第１の映像データ、遅延させた第２の水平同期信号、遅延させた第２の映像データ、第１の駆動信号、第１の表示データ、第２の駆動信号、第２の表示データおよび第１および第２の表示装置５，６の駆動電力のタイミングチャートを図示している。
【００３６】
第１の水平同期信号のタイミングＰａと、第２の水平同期信号のタイミングＰｂが同一であり、第１の映像データと第２の映像データの表示タイミングも同一である。位相調整部１０１は、検出した第１の水平同期信号と第２の水平同期信号の位相差と、第１の表示装置５および第２の表示装置６の遅れ時間とに基づいて、第１の駆動信号および第２の駆動信号が出力されるタイミングを推定する。図６の例では、位相調整部１０１は、推定した第１の駆動信号および第２の駆動信号のタイミングに基づいて、第１の駆動信号および第２の駆動信号のタイミングが所定時間以上離れないと判断する。位相調整部１０１は、第１の駆動信号と第２の駆動信号が所定時間以上離れるように第１の遅延量および第２の遅延量を調整する。
【００３７】
調整した第１の遅延量および調整した第２の遅延量を用いて遅延させた平同期信号および映像データが、図６で示した遅延させた第１の水平同期信号、遅延させた第１の映像データ、遅延させた第２の水平同期信号、遅延させた第２の映像データである。図６の例では、第２の水平同期信号および第２の映像データの出力タイミングを、第２の遅延量だけ遅延させている。遅延させた第２の水平同期信号の出力タイミングは、タイミングＰｂから、タイミングＰｃに遅延している。これにより、第１の駆動信号の駆動位置Ｑａと、第２の駆動信号の駆動位置Ｑｃが離れ、第１の表示装置５の駆動電力のピークが位置Ｒａとなり、第２の表示装置６の駆動電力のピークが位置Ｒｂとなる。このように、第１および第２の表示装置５，６の駆動電力のピーク位置が離れ、駆動電力のピーク値が抑制される。
【００３８】
位相調整部１０１が、複数の水平同期信号の位相差が予め設定された時間以上離れているか否かの判断において、予め設定される時間は、例えば画像処理装置３に入力される映像データの数に基づいて決定される。図２に示したように、画像処理装置３に第１の映像データと第２の映像データの２つの映像データが入力される場合、一方の映像データの水平同期信号の水平周期の１／２の間隔で、第１の水平同期信号と第２の水平同期信号とが交互に出力されるのが望ましい。具体的には、図６のタイミングチャートで示したが、第２の水平同期信号のタイミングＰｃは、第１の水平同期信号のタイミングＰａの水平周期Ｔの約１／２周期の位置で出力されるタイミングが望ましい。よって、位相調整部１０１に予め設定される時間は、このタイミングに基づいて設定される。
【００３９】
また、画像処理装置３に３つの映像データが入力される場合、いずれか１つの映像データの水平同期信号の水平周期の約１／３周期の間隔で、３つの水平同期信号がそれぞれ順番に出力されるのが望ましい。位相調整部１０１に予め設定される時間は、このタイミングに基づいて設定される。
なお、表示装置の構成によって駆動電力のピークが異なることもあるため、予め設定される時間は、水平周期に基づいて所定の許容範囲を設けて設定されるのが望ましい。また、所定の許容範囲としては、ディスプレイユニット８として第１および第２の表示装置５，６の駆動電力のピークの重なりが許容される程度に応じて設定される。
【００４０】
次に、第１の表示装置５および第２の表示装置６が液晶ディスプレイである場合について、説明する。
液晶ディスプレイに映像データを表示する際に、制御基準となる信号には、液晶ディスプレイの液晶パネルの水平方向の同期を取るための水平同期信号と、液晶パネルの垂直方向の同期を取るための基準信号として用いられる垂直同期信号、映像データの入力が有効である期間を示すデータイネーブル信号等が含まれている。
また、液晶ディスプレイの表示制御では、垂直同期信号において次の書き替え周期へ移行する間隙時間である垂直ブランキング期間を設けている。画像処理装置３は、この垂直ブランキング期間中に位相調整部１０１が映像データの遅延処理および同期信号の遅延処理を行う。
【００４１】
また、液晶ディスプレイに映像データを表示する場合、液晶ディスプレイの焼き付きを防ぐ目的で、基準電位に対する正の電圧（以下、正の電圧と記載する）と基準電位に対する負の電圧（以下、負の電圧と記載する）を交互に掛ける交流を印加している。この電圧の交流印加周期において、正の電圧を掛ける周期を１つの交流印加周期とし、同様に負の電圧を掛ける交流印加周期を１つの交流印加周期とした場合、偶数回の交流印加周期毎に、垂直ブランキング期間中に映像データの遅延処理および同期信号の遅延処理を行う。
【００４２】
以上のように、この実施の形態１によれば、第１の映像出力装置１から入力された第１の同期信号の位相と第２の映像出力装置２から入力された第２の同期信号の位相とに基づいて、第１の表示装置５に対する第１の駆動信号の出力タイミングについての第１の遅延量および第２の表示装置６に対する第２の駆動信号の出力タイミングについての第２の遅延量を決定する位相調整部１０１と、決定した第１の遅延量に基づいて第１の駆動信号の出力タイミングを制御する第１の同期遅延部１０３と、決定した第２の遅延量に基づいて第２の駆動信号の出力タイミングを制御する第２の同期遅延部１０５とを備えるように構成したので、複数の映像出力装置から出力された複数の映像データを複数の表示装置に表示させる場合にも、各表示装置の駆動タイミングが重なるのを回避することができる。これにより、複数の表示装置の駆動電力のピーク値を低減させることができる。
【００４３】
これにより、画像処理装置は、映像出力装置から出力された映像データを一時的に保持するラインメモリのみを用いた構成で遅延処理を行うことができる。即ち、画像処理装置は、フレームメモリを備える必要がなく、画像処理装置の回路規模が増大して製品コストが高価になるのを抑制することができる。
【００４４】
さらに、表示装置の駆動電力のピーク値を低減させることにより、ディスプレイユニットの電源回路の回路構成の簡略化、ディスプレイユニットのＥＭＣ（Electro-Magnetic Compatibility）レベルの低減、ディスプレイユニットの配線パターンの簡略化による基板面積の縮小化および重量の軽量化等を実現することができる。
【００４５】
また、この実施の形態１によれば、位相調整部１０１が、第１の同期信号と第２の同期信号との位相差を検出し、検出した当該位相差に基づいて、第１の遅延量および第２の遅延量を決定するように構成したので、各表示装置の駆動タイミングが重なるのを回避し、複数の表示装置の駆動電力のピーク値を低減させることができる。
【００４６】
また、この実施の形態１によれば、位相調整部１０１が、第１の同期信号と第２の同期信号のいずれか一方の同期信号の周期に基づいて閾値を設定し、位相差が設定した閾値以上であるか否かに基づいて、第１の遅延量および第２の遅延量を決定するように構成したので、各表示装置の駆動タイミングを所定量離すことができ、各表示装置の駆動タイミングが重なるのを回避させることができる。
【００４７】
また、この実施の形態１によれば、第１および第２の表示装置５，６が液晶ディスプレイである場合に、位相調整部１０１が、液晶ディスプレイに印加される正の電圧の交流印加周期と負の電圧の交流印加周期とをそれぞれ１つの交流印加周期として正の電圧と負の電圧を交互に印加する場合に、偶数回の交流印加周期毎に第１の駆動信号の出力タイミングおよび第２の駆動信号の出力タイミングを制御する、第１の遅延量および第２の遅延量を決定するように構成したので、液晶ディスプレイの焼き付きを防ぎ、且つ各表示装置の駆動タイミングが重なるのを回避させることができる。
【００４８】
実施の形態２．
この実施の形態２では、駆動信号に遅延処理を行う構成を示す。
図７は、実施の形態２に係る画像処理装置３ａの構成を示すブロック図である。
実施の形態２に係る画像処理装置３ａは、図２で示した実施の形態１の画像処理装置３の第１の映像遅延部１０２、第１の同期遅延部１０３、第２の映像遅延部１０４、第２の同期遅延部１０５、第１の映像処理部１０６、第１の駆動信号生成部１０７、第２の映像処理部１０８および第２の駆動信号生成部１０９に替えて、第１の映像処理部１０６ａ、第１の駆動信号生成部１０７ａ、第２の映像処理部１０８ａ、第２の駆動信号生成部１０９ａ、第１の駆動遅延部１１０および第２の駆動遅延部１１１を設けて構成している。
以下では、実施の形態１に係る画像処理装置３の構成要素と同一または相当する部分には、実施の形態１で使用した符号と同一の符号を付して説明を省略または簡略化する。
【００４９】
第１の映像処理部１０６ａは、第１の映像出力装置１から入力された第１の映像データおよび第１の同期信号とから、第１の表示装置５に表示するための第１の表示データを生成する。第１の駆動信号生成部１０７ａは、第１の映像出力装置１から入力された第１の同期信号から、第１の表示装置５を駆動するための第１の駆動信号を生成する。第２の映像処理部１０８ａは、第２の映像出力装置２から出力された第１の映像データおよび第２の同期信号とから、第２の表示装置６に表示するための第２の表示データを生成する。第２の駆動信号生成部１０９ａは、第２の映像出力装置２から出力された第２の同期信号から、第２の表示装置６を駆動するための第２の駆動信号を生成する。
【００５０】
位相調整部１０１は、実施の形態１と同一の処理を行い、第１の遅延量および第２の遅延量を算出する。第１の駆動遅延部１１０は、第１の駆動信号生成部１０７ａが生成した第１の駆動信号が入力されると、位相調整部１０１から入力される第１の遅延量だけタイミングを遅らせて第１の表示装置５に出力する。第２の駆動遅延部１１１は、第２の駆動信号生成部１０９ａが生成した第２の駆動信号が入力されると、位相調整部１０１から入力される第２の遅延量だけタイミングを遅らせて第２の表示装置６に出力する。
【００５１】
画像処理装置３に接続された第１の表示装置５は、第１の駆動遅延部１１０から入力される遅延された第１の駆動信号に従って駆動され、第１の映像処理部１０６ａから入力される第１の表示データを表示する。画像処理装置３に接続された第２の表示装置６は、第２の駆動遅延部１１１から入力される遅延された第２の駆動信号に従って駆動され、第２の映像処理部１０８ａから入力される第２の表示データを表示する。
【００５２】
なお、図７で示した第１の映像処理部１０６ａ、第１の駆動信号生成部１０７ａ、第２の映像処理部１０８ａおよび第２の駆動信号生成部１０７ａが信号処理部を構成する。また、第１の駆動遅延部１１０および第２の駆動遅延部１１１が遅延部を構成する。
【００５３】
次に、画像処理装置３ａのハードウェア構成例を説明する。なお、実施の形態２の画像処理装置３ａのハードウェア構成例を示す図は、実施の形態１で示した図３Ａおよび図３Ｂと同一であることから、図示を省略する。
画像処理装置３ａにおける、位相調整部１０１、第１の映像処理部１０６ａ、第１の駆動信号生成部１０７ａ、第２の映像処理部１０８ａ、第２の駆動信号生成部１０９ａ、第１の駆動遅延部１１０および第２の駆動遅延部１１１は、図３Ａに示すように専用のハードウェアである処理回路１００ａであってもよいし、図３Ｂに示すようにメモリ１００ｃに格納されているプログラムを実行するプロセッサ１００ｂであってもよい。
【００５４】
図３Ａに示すように、位相調整部１０１、第１の映像処理部１０６ａ、第１の駆動信号生成部１０７ａ、第２の映像処理部１０８ａ、第２の駆動信号生成部１０９ａ、第１の駆動遅延部１１０および第２の駆動遅延部１１１が専用のハードウェアである場合、処理回路１００ａは、例えば、単一回路、複合回路、プログラム化したプロセッサ、並列プログラム化したプロセッサ、ＡＳＩＣ、またはこれらを組み合わせたものが該当する。位相調整部１０１、第１の映像処理部１０６ａ、第１の駆動信号生成部１０７ａ、第２の映像処理部１０８ａ、第２の駆動信号生成部１０９ａ、第１の駆動遅延部１１０および第２の駆動遅延部１１１の各部の機能それぞれを処理回路で実現してもよいし、各部の機能をまとめて１つの処理回路で実現してもよい。
【００５５】
図３Ｂに示すように、位相調整部１０１、第１の映像処理部１０６ａ、第１の駆動信号生成部１０７ａ、第２の映像処理部１０８ａ、第２の駆動信号生成部１０９ａ、第１の駆動遅延部１１０および第２の駆動遅延部１１１がプロセッサ１００ｂである場合、各部の機能は、ソフトウェア、ファームウェア、またはソフトウェアとファームウェアとの組み合わせにより実現される。ソフトウェアまたはファームウェアはプログラムとして記述され、メモリ１００ｃに格納される。プロセッサ１００ｂは、メモリ１００ｃに記憶されたプログラムを読み出して実行することにより、位相調整部１０１、第１の映像処理部１０６ａ、第１の駆動信号生成部１０７ａ、第２の映像処理部１０８ａ、第２の駆動信号生成部１０９ａ、第１の駆動遅延部１１０および第２の駆動遅延部１１１の各機能を実現する。即ち、位相調整部１０１、第１の映像処理部１０６ａ、第１の駆動信号生成部１０７ａ、第２の映像処理部１０８ａ、第２の駆動信号生成部１０９ａ、第１の駆動遅延部１１０および第２の駆動遅延部１１１は、プロセッサ１００ｂにより実行されるときに、後述する図８に示す各ステップが結果的に実行されることになるプログラムを格納するためのメモリ１００ｃを備える。また、これらのプログラムは、位相調整部１０１、第１の映像処理部１０６ａ、第１の駆動信号生成部１０７ａ、第２の映像処理部１０８ａ、第２の駆動信号生成部１０９ａ、第１の駆動遅延部１１０および第２の駆動遅延部１１１の手順または方法をコンピュータに実行させるものであるともいえる。
【００５６】
なお、位相調整部１０１、第１の映像処理部１０６ａ、第１の駆動信号生成部１０７ａ、第２の映像処理部１０８ａ、第２の駆動信号生成部１０９ａ、第１の駆動遅延部１１０および第２の駆動遅延部１１１の各機能について、一部を専用のハードウェアで実現し、一部をソフトウェアまたはファームウェアで実現するようにしてもよい。このように、画像処理装置３における処理回路１００ａは、ハードウェア、ソフトウェア、ファームウェア、またはこれらの組み合わせによって、上述の各機能を実現することができる。
【００５７】
次に、画像処理装置３ａの動作について説明する。
図８は、実施の形態２に係る画像処理装置３ａの動作を示すフローチャートである。図８において、図４で示した実施の形態１のフローチャートと同一のステップには同一の符号を付し、説明を省略する。
図８では、画像処理装置３ａに第１の映像出力装置１および第２の映像出力装置２から、２つの映像データと２つの同期信号が入力される場合を例に説明を行う。なお、図８のフローチャートは、画像処理装置３ａに接続する映像出力装置の数に応じて、適宜変更して適用可能である。
【００５８】
第１の映像出力装置１から第１の映像データおよび第１の同期信号、第２の映像出力装置２から第２の映像データおよび第２の同期信号が入力されると（ステップＳＴ２１）、第１の映像処理部１０６ａは、ステップＳＴ２１で入力された第１の映像データおよび第１の同期信号から、第１の表示データを生成し、第１の表示装置５に出力する（ステップＳＴ２２）。同様に、ステップＳＴ２２として、第２の映像処理部１０８ａは、第２の映像データおよび第２の同期信号から、第２の表示データを生成し、第２の表示装置６に出力する。
【００５９】
第１の駆動信号生成部１０７ａは、ステップＳＴ２１で入力された第１の同期信号から第１の駆動信号を生成する（ステップＳＴ２３）。同様に、ステップＳＴ２３として、第２の駆動信号生成部１０９ａは、第２の同期信号から第２の駆動信号を生成する。一方で、位相調整部１０１は、ステップＳＴ２１で入力された第１の同期信号と、当該第１の同期信号の直前に入力された第２の同期信号、または当該第１の同期信号と同時に入力された第２の同期信号を取得する（ステップＳＴ２４）。位相調整部１０１は、取得した第１の同期信号と第２の同期信号との位相差を検出する（ステップＳＴ３）。位相調整部１０１は、ステップＳＴ３で検出した位相差と、第１の表示装置５および第２の表示装置６にそれぞれ設定された遅れ時間とから、第１の遅延量の初期値および第２の遅延量の初期値を算出する（ステップＳＴ４）。
【００６０】
位相調整部１０１は、ステップＳＴ４で算出した第１の遅延量の初期値に基づく第１の駆動信号の駆動タイミングと、第２の遅延量の初期値に基づく第２の駆動信号の駆動タイミングが、予め設定した時間以上離れているか否か判定を行う（ステップＳＴ５）。予め設定した時間以上離れている場合（ステップＳＴ５；ＹＥＳ）、ステップＳＴ４で算出した第１の遅延量の初期値を第１の駆動遅延部１１０に出力し、第２の遅延量の初期値を第２の駆動遅延部１１１に出力する（ステップＳＴ６）。
【００６１】
一方、予め設定した時間以上離れていないと判定した場合（ステップＳＴ５；ＮＯ）、位相調整部１０１は、ステップＳＴ４で算出した第１の遅延量の初期値または第２の遅延量の初期値の少なくともいずれか一方を調整する（ステップＳＴ７）。位相調整部１０１は、ステップＳＴ７で調整した第１の遅延量を第１の駆動遅延部１１０に出力し、調整した第２の遅延量を第２の駆動遅延部１１１に出力する（ステップＳＴ８）。
【００６２】
第１の駆動遅延部１１０は、ステップＳＴ２３で生成された第１の駆動信号の第１の表示装置５への出力タイミングを、ステップＳＴ６またはステップＳＴ８で入力された第１の遅延量を用いて遅延させる（ステップＳＴ２５）。同様に、ステップＳＴ２５として、第２の駆動遅延部１１１は、ステップＳＴ２３で生成された第２の駆動信号の第２の表示装置６への出力タイミングを、ステップＳＴ６またはステップＳＴ８で入力された第２の遅延量を用いて遅延させる。以上で処理を終了する。
【００６３】
次に、画像処理装置３ａによる遅延処理が行われた場合の第１の表示装置５および第２の表示装置６の駆動タイミングおよび駆動電力を示すタイミングチャートを図９に示す。
図９では、上から順に、第１の水平同期信号、第１の映像データ、第２の水平同期信号、第２の映像データ、第１の駆動信号、第１の表示データ、第２の駆動信号、第２の表示データ、遅延させた第１の駆動信号、第１の表示データ、遅延させた第２の駆動信号、第２の表示データおよび第１および第２の表示装置の駆動電力のタイミングチャートを図示している。
【００６４】
図９に示すように、第１の水平同期信号のタイミングＰａと、第２の水平同期信号のタイミングＰｂが同一であり、第１の映像データと第２の映像データの表示タイミングも同一である。位相調整部１０１は、検出した第１の水平同期信号と第２の水平同期信号の位相差と、第１の表示装置５および第２の表示装置６の遅れ時間とに基づいて、第１の駆動信号および第２の駆動信号が出力されるタイミングを推定する。図９の例では、位相調整部１０１は、推定した第１の駆動信号および第２の駆動信号のタイミングに基づいて、第１の駆動信号および第２の駆動信号のタイミングが所定時間以上離れないと判断する。そこで、位相調整部１０１は、第１の駆動信号と第２の駆動信号が所定時間以上離れるように第１の遅延量および第２の遅延量を調整する。
【００６５】
調整した第１の遅延量および調整した第２の遅延量で出力タイミングを遅延させた駆動信号が、図９で示した遅延させた第１の駆動信号および遅延させた第２の駆動信号である。図９の例では、遅延させた第２の駆動信号の出力タイミングが駆動位置Ｓｂから駆動位置Ｓｃに遅延している。これにより、第１の駆動信号の駆動位置Ｓａと遅延させた第２の駆動信号の駆動位置Ｓｃとが離れ、第１の表示装置５の駆動電力のピークが位置Ｒａとなり、第２の表示装置６の駆動電力のピークが位置Ｒｂとなる。このように、２つの表示装置の駆動電力のピーク位置が離れ、駆動電力のピーク値が抑制される。
【００６６】
なお、図９に示したように、画像処理装置３ａの構成では、第１の表示データと第２の表示データの出力タイミングは遅延させない。また、一般的に、表示装置の駆動信号は、次の表示データを出力するよりも前に出力する必要があるため、図９で示したブランキング期間内において駆動信号の出力タイミングを遅延させる。そのため、実施の形態２の構成では、駆動信号の出力タイミングの調整範囲はブランキング期間に限定されるものになるが、映像データのフォーマットとしてブランキング期間が十分長く設定されている場合には、表示データの出力タイミングを遅延させるための処理回路を設ける必要がないため、回路規模が縮小される。
【００６７】
以上のように、この実施の形態２によれば、第１の映像出力装置１から入力された第１の同期信号の位相と第２の映像出力装置２から入力された第２の同期信号の位相とに基づいて、第１の表示装置５に対する第１の駆動信号の出力タイミングについての第１の遅延量および第２の表示装置６に対する第２の駆動信号の出力タイミングについての第２の遅延量を決定する位相調整部１０１と、決定した第１の遅延量に基づいて第１の駆動信号の出力タイミングを制御する第１の駆動遅延部１１０と、決定した第２の遅延量に基づいて第２の駆動信号の出力タイミングを制御する第２の駆動遅延部１１１とを備えるように構成したので、複数の映像出力装置から出力された複数の映像データを複数の表示装置に表示させる場合にも、各表示装置の駆動タイミングが重なるのを回避することができる。これにより、複数の表示装置の駆動電力のピーク値を低減させることができる。
【００６８】
また、この実施の形態２によれば、第１の同期信号が入力されると第１の駆動信号を生成する第１の駆動信号生成部１０７ａと、第２の同期信号が入力されると第２の駆動信号を生成する第２の駆動信号生成部１０９ａとを備え、第１の駆動遅延部１１０は、第１の駆動信号生成部１０７ａが生成した第１の駆動信号を第１の遅延量に基づいて第１の表示装置５に出力し、第２の駆動遅延部１１１は、第２の駆動信号生成部１０９ａが生成した第２の駆動信号を第２の遅延量に基づいて第２の表示装置６に出力するように構成したので、駆動信号を遅延させるための処理回路のみを設けて構成すればよく、回路規模を縮小させることができる。
【００６９】
なお、実施の形態２においても、画像処理装置３ａ、制御装置４、第１の表示装置５、第２の表示装置６および電源回路７は、ディスプレイユニットを構成する。
【００７０】
なお、上述した実施の形態２では、第１および第２の駆動信号生成部１０７ａ，１０９ａと、第１および第２の駆動遅延部１１０，１１１とを備える構成を示したが、第１および第２の駆動信号生成部１０７ａ，１０９ａにおいて同期信号から駆動信号を生成する際に、位相調整部１０１から入力される遅延量を考慮して出力タイミングを調整する構成としてもよい。この場合、第１および第２の駆動遅延部１１０，１１１の構成は不要となる。
【００７１】
また、上述した実施の形態１および実施の形態２では、複数の映像出力装置から出力された複数の映像データを複数の表示装置に表示させる場合を例に示したが、複数の映像出力装置から出力された複数の映像データを１つの表示装置の複数の画像表示部（本発明の「表示部」に対応する）に表示させる場合にも適用することが可能である。その例を、図１０に示す。図１０では、４つの映像出力装置１ａ，１ｂ，１ｃ，１ｄから出力された４つの映像データを、画像処理装置３を介して、１つの表示装置５ａの第１の画像表示部５ｂ、第２の画像表示部５ｃ、第３の画像表示部５ｄおよび第４の画像表示部５ｅにそれぞれ表示させる場合を示している。第１の画像表示部５ｂ、第２の画像表示部５ｃ、第３の画像表示部５ｄおよび第４の画像表示部５ｅは、それぞれ個別の駆動信号により駆動する。
【００７２】
図１０で示した、画像処理装置３、制御装置４（図示しない）、表示装置５ａおよび電源回路７は、ディスプレイユニットを構成する。また、図１０において、実施の形態１で示した画像処理装置３を、実施の形態２で示した画像処理装置３ａに置き換えて構成することも可能である。
【００７３】
なお、上述した実施の形態１および実施の形態２において、水平同期信号を基準に駆動信号を生成する構成を示したが、映像データの入力が有効である期間を示すデータイネーブル信号を基準に駆動信号を生成するように構成してもよい。
【００７４】
上記以外にも、本発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００７５】
この発明に係る画像処理装置は、複数の映像出力装置から出力された複数の映像データを複数の表示装置に表示させる場合にも、各表示装置の駆動タイミングが重なるのを回避することが可能なため、ディスプレイユニット等に適用し、コストの削減を実現することができる。
【符号の説明】
【００７６】
１  第１の映像出力装置、１ａ，１ｂ，１ｃ，１ｄ  映像出力装置、２  第２の映像出力装置、３  画像処理装置、４  制御装置、５  第１の表示装置、５ａ  表示装置、５ｂ  第１の画像表示部、５ｃ  第２の画像表示部、５ｄ  第３の画像表示部、５ｅ  第４の画像表示部、６  第２の表示装置、７  電源回路、８  ディスプレイユニット、１０１  位相調整部、１０２  第１の映像遅延部、１０３  第１の同期遅延部、１０４  第２の映像遅延部、１０５  第２の同期遅延部、１０６，１０６ａ  第１の映像処理部、１０７，１０７ａ  第１の駆動信号生成部、１０８，１０８ａ  第２の映像処理部、１０９，１０９ａ  第２の駆動信号生成部、１１０  第１の駆動遅延部、１１１  第２の駆動遅延部。
【図１】
2018008147.tif 000003
【図２】
2018008147.tif 000004
【図３】
2018008147.tif 000005
【図４】
2018008147.tif 000006
【図５】
2018008147.tif 000007
【図６】
2018008147.tif 000008
【図７】
2018008147.tif 000009
【図８】
2018008147.tif 000010
【図９】
2018008147.tif 000011
【図１０】
2018008147.tif 000012
【手続補正書】
【提出日】平成30年6月26日(2018.6.26)
【手続補正１】
【補正対象書類名】特許請求の範囲
【補正対象項目名】全文
【補正方法】変更
【補正の内容】
【特許請求の範囲】
【請求項１】
第１の映像出力装置から入力された第１の同期信号の位相と第２の映像出力装置から入力された第２の同期信号の位相とに基づいて、第１の表示部に対する第１の駆動信号の出力タイミングについての第１の遅延量および第２の表示部に対する第２の駆動信号の出力タイミングについての第２の遅延量を決定する位相調整部と、
前記位相調整部が決定した前記第１の遅延量に基づいて前記第１の駆動信号の出力タイミングを制御し、前記位相調整部が決定した前記第２の遅延量に基づいて前記第２の駆動信号の出力タイミングを制御する遅延部とを備えた画像処理装置。
【請求項２】
前記位相調整部は、前記第１の同期信号と前記第２の同期信号との位相差を検出し、検出した当該位相差に基づいて、前記第１の遅延量および前記第２の遅延量を決定することを特徴とする請求項１記載の画像処理装置。
【請求項３】
前記位相調整部は、前記第１の同期信号と前記第２の同期信号のいずれか一方の同期信号の周期に基づいて閾値を設定し、前記位相差が前記設定した閾値以上であるか否かに基づいて、前記第１の遅延量および前記第２の遅延量を決定することを特徴とする請求項２記載の画像処理装置。
【請求項４】
前記第１の表示部および前記第２の表示部が液晶ディスプレイである場合に、
前記位相調整部は、前記液晶ディスプレイに印加される正の電圧の交流印加周期と負の電圧の交流印加周期とをそれぞれ１つの交流印加周期として正の電圧と負の電圧が交互に印加される場合に、偶数回の前記交流印加周期毎に前記第１の駆動信号の出力タイミングおよび前記第２の駆動信号の出力タイミングを制御する、前記第１の遅延量および前記第２の遅延量を決定することを特徴とする請求項１記載の画像処理装置。
【請求項５】
前記第１の同期信号が入力されると前記第１の駆動信号を生成し、前記第２の同期信号が入力されると前記第２の駆動信号を生成する信号処理部を備え、
前記遅延部は、前記第１の映像出力装置から入力された前記第１の同期信号を前記第１の遅延量に基づいて前記信号処理部に出力し、前記第２の映像出力装置から入力された前記第２の同期信号を、前記第２の遅延量に基づいて前記信号処理部に出力することを特徴とする請求項１記載の画像処理装置。
【請求項６】
前記第１の同期信号が入力されると前記第１の駆動信号を生成し、前記第２の同期信号が入力されると前記第２の駆動信号を生成する信号処理部を備え、
前記遅延部は、前記信号処理部が生成した前記第１の駆動信号を前記第１の遅延量に基づいて前記第１の表示部に出力し、前記信号処理部が生成した第２の駆動信号を前記第２の遅延量に基づいて前記第２の表示部に出力することを特徴とする請求項１記載の画像処理装置。
【請求項７】
前記第１の表示部および前記第２の表示部は、同一の表示装置を構成する、または第１の表示装置および第２の表示装置を構成することを特徴とする請求項１記載の画像処理装置。
【請求項８】
表示装置と、
第１の映像出力装置から入力された第１の同期信号の位相と第２の映像出力装置から入力された第２の同期信号の位相とに基づいて、前記表示装置に対する第１の駆動信号の出力タイミングについての第１の遅延量および前記表示装置に対する第２の駆動信号の出力タイミングについての第２の遅延量を決定する位相調整部と、前記位相調整部が決定した前記第１の遅延量に基づいて前記第１の駆動信号の出力タイミングを制御し、前記位相調整部が決定した前記第２の遅延量に基づいて前記第２の駆動信号の出力タイミングを制御する遅延部とを有する画像処理装置とを備えたディスプレイユニット。
【国際調査報告】
2018008147.tif 000013
2018008147.tif 000014
2018008147.tif 000015
2018008147.tif 000016